(57)【要約】【課題】乾燥工程での使用エネルギーを低減すること。【解決手段】被洗浄物３の洗浄、すすぎおよび乾燥を行い、被洗浄物３を洗浄する洗浄手段６と、洗浄水および空気を加熱する加熱手段５と、被洗浄物３に送風する送風手段１２と、洗浄槽２を密閉する蓋１４と、蓋１４の開閉を検知する蓋開閉検知手段１５と、運転を制御する制御手段１７とを備え、制御手段１７は、蓋開閉検知手段１５の検知状況に連動させて乾燥工程の制御を行うことにより、使用者が蓋１４を開くことで洗浄槽２内の空気を入れ替えることができ、蓋１４を閉じた後の乾燥工程での加熱手段５に通電する時間を、蓋１４を開かない場合の乾燥工程での加熱手段５に通電する時間よりも短縮しても、蓋１４と洗浄槽２のシール部分も含めて所定の乾燥性能を得ることができるので、乾燥工程における加熱手段５の通電量を少なくすることができ、食器洗い乾燥機１の使用エネルギーを低減することができる。【選択図】図１
2011062219.tif 000002
【特許請求の範囲】
【請求項１】
被洗浄物の洗浄、すすぎおよび乾燥を行う食器洗い乾燥機であって、
開口部を有する洗浄槽と、前記洗浄槽内に収納される被洗浄物を洗浄する洗浄手段と、被洗浄物に供給される洗浄水および空気を加熱する加熱手段と、被洗浄物に送風する送風手段と、前記開口部を閉じることにより前記洗浄槽を実質的に密閉状態にする蓋と、前記蓋の開閉を直接的若しくは間接的に検知する蓋開閉検知手段と、前記食器洗い乾燥機の運転を制御する制御手段とを備え、前記制御手段は、前記蓋開閉検知手段の検知状況に連動させて、被洗浄物を乾燥させる乾燥工程の制御を行う食器洗い乾燥機。
【請求項２】
前記制御手段は、前記乾燥工程において前記蓋開閉検知手段が前記蓋の開閉を検知すると、前記蓋を閉じた後の前記加熱手段の通電時間を短くする請求項１に記載の食器洗い乾燥機。
【請求項３】
前記制御手段は、前記乾燥工程において前記蓋開閉検知手段が前記蓋の開閉を検知すると、前記蓋を閉じた後の前記乾燥工程の時間を通常の前記乾燥工程の時間より短縮させる請求項１に記載の食器洗い乾燥機。
【請求項４】
前記制御手段は、前記乾燥工程において前記蓋開閉検知手段が前記蓋の開閉を検知したタイミングにより、前記加熱手段への通電時間または前記乾燥工程の短縮時間を変更する請求項２または３に記載の食器洗い乾燥機。
【請求項５】
前記制御手段は、前記乾燥工程において前記蓋開閉検知手段が前記蓋の開閉を検知したタイミングが早いほど、前記加熱手段への通電時間または前記乾燥工程の時間を短くする請求項４に記載の食器洗い乾燥機。
【請求項６】
前記制御手段は、前記乾燥工程において前記蓋開閉検知手段が前記蓋の開放を検知している時間に連動して、前記乾燥工程を制御する請求項１〜５のいずれか１項に記載の食器洗い乾燥機。
【請求項７】
前記制御手段は、前記乾燥工程において前記蓋開閉検知手段が前記蓋の開放を検知している時間が長いほど、前記加熱手段への通電時間を短くするまたは前記乾燥工程の時間を短くする請求項６に記載の食器洗い乾燥機。
【請求項８】
前記制御手段は、前記蓋開閉検知手段が、前記乾燥工程において前記蓋が所定時間以上開いていることを検知すると、前記蓋が閉じられた後の乾燥工程では前記加熱手段に通電させない請求項６に記載の食器洗い乾燥機。
【請求項９】
前記制御手段は、前記乾燥工程において前記蓋開閉検知手段が前記蓋の開閉を検知した後、通常の前記乾燥工程の時間より長くし、かつ、前記加熱手段に通電させない請求項１〜８のいずれか１項に記載の食器洗い乾燥機。
【請求項１０】
前記乾燥工程開始から所定時間が経過するまで前記送風手段が断続駆動する断続駆動工程が設けられ、
前記断続駆動工程中に前記蓋開閉検知手段が前記蓋の開閉を検知すると、前記蓋を閉じた後の前記断続駆動工程において前記送風手段が駆動する時間を長くする、若しくは、前記送風手段が駆動しない時間を短くする請求項１〜８のいずれか１項に記載の食器洗い乾燥機。
【請求項１１】
前記乾燥工程開始から所定時間が経過するまで前記送風手段が断続駆動する断続駆動工程
が設けられ、
前記断続駆動工程中に前記蓋開閉検知手段が前記蓋の開閉を検知すると、前記蓋が閉じた後の乾燥工程では前記送風手段を連続通電する請求項１〜８のいずれか１項に記載の食器洗い乾燥機。
【請求項１２】
前記蓋が所定量以上開いたことを検知する蓋開閉量検知手段を設けた請求項１〜１１のいずれか１項に記載の食器洗い乾燥機。
【請求項１３】
少なくとも２回前記蓋が所定量以上開いたことを前記蓋開閉量検知手段が検知すると、２回目の前記蓋が閉じた後の前記乾燥工程は、前記加熱手段に通電させない請求項１２に記載の食器洗い乾燥機。
【発明の詳細な説明】
【技術分野】
【０００１】
本発明は一般家庭で食器類や調理類を洗浄する食器洗い乾燥機に関するものである。
【背景技術】
【０００２】
従来、この種の食器洗い乾燥機１は図１３〜図１５に示すような構成をしている。以下、その構成について説明する。
【０００３】
図１３に示すように、洗浄槽２は内部に被洗浄物３（食器）を収納する食器かご４を設けている。また、洗浄槽２内には、洗浄槽２内の洗浄水を加熱する加熱手段５（例えばシーズヒータなど）を設けるとともに、洗浄手段６（例えば洗浄ポンプ）が洗浄水を加圧して、洗浄ノズル７の噴射孔８より洗浄水を噴射し食器かご４に収納した被洗浄物３（食器）を洗浄するように構成している。給水弁９は水道水を洗浄槽２に供給するものである。洗浄槽２内の洗浄水は排水手段１０により排水される。
【０００４】
フィルタ１１は洗浄槽２に設け、洗浄工程およびすすぎ工程において、残菜（被洗浄物３（食器）に汚れとして付着していた食品を残菜という）を捕集する。送風手段１２は、食器洗い乾燥機１外の空気を洗浄槽２内に送風し、排気口１３より排気することにより、洗浄槽２内の被洗浄物３（食器）を乾燥させる。
【０００５】
洗浄槽２の前面に蓋１４が開閉自在に設けられている。この蓋１４が開閉されたかどうかは蓋開閉検知手段１５により検知されるものである。
【０００６】
温度検知手段１６は、洗浄槽２を介して、洗浄水、空気および加熱手段５の温度を検知するものである。
【０００７】
制御手段１７は、給水弁９が洗浄槽２内に洗浄水を供給するのを制御したり、温度検知手段１６の出力に基づいて加熱手段５を制御したりするとともに、洗浄手段６、給水弁９、排水手段１０、送風手段１２等を制御して、洗浄、すすぎ、乾燥の一連の工程を逐次制御するよう構成している。
【０００８】
上記構成において動作を説明すると、利用者が蓋１４を前方に開け、被洗浄物３（食器）を食器かご４に配置し、洗浄槽２に収納して洗剤を入れた後、運転を開始すると、まず排水手段１０が動作して、前回の運転等で洗浄槽２内に残っている洗浄水（残水と呼ぶ）を食器洗い乾燥機１外へ排出する。
【０００９】
そして、給水弁９が動作して洗浄水を洗浄槽２に供給する。
【００１０】
所定の洗浄水が供給されると、洗浄手段６が洗浄水を加圧し、洗剤とともに洗浄ノズル７に設けた噴射孔８から洗浄水が噴射される。こうして洗浄工程が行われる。この洗浄工程では洗浄槽２内に設けた加熱手段５に通電して、洗浄水を洗浄工程での所定温度まで加熱する。
【００１１】
所定時間の洗浄工程を経ると、次に被洗浄物３（食器）から洗い落とされた汚れを含む洗浄水を排水手段１０により食器洗浄機１外へ排出する。
【００１２】
引き続いて、新たに洗浄水を供給して洗浄ノズル７に設けた噴射孔８から再び噴射して、洗剤や残菜等で汚れた被洗浄物３（食器）をすすぐすすぎ工程を実行する。
【００１３】
このすすぎ工程を終えると、洗浄水を再び食器洗い乾燥機１外へ排出する。このすすぎ工程は連続して数回繰り返される。そして、最後に行われるすすぎ工程は、加熱手段５により洗浄水を所定温度（例えば６０℃）まで加熱して被洗浄物３（食器）をすすぐ加熱すすぎ工程である。なお、洗浄およびすすぎ工程において、残菜は洗浄槽２に設けたフィルタ１１内に捕集される。
【００１４】
所定回数のすすぎ工程が終了すると乾燥工程が開始する。この工程では、送風手段１２が動作して食器洗い乾燥機１外の空気が洗浄槽２内へ送り込まれる。送り込まれた空気は加熱手段５により加熱された後、被洗浄物３（食器）を乾燥させて排気口１３より食器洗い乾燥機１外へ排出される。乾燥工程終了後、運転を終了する。
【先行技術文献】
【特許文献】
【００１５】
【特許文献１】特許第２５２３０３５号公報
【特許文献２】特許第２９７２９４６号公報
【発明の概要】
【発明が解決しようとする課題】
【００１６】
しかしながら、図１３に示されるような従来の食器洗い乾燥機１の構成では、以下のような課題がある。
【００１７】
食器洗い乾燥機１の標準コースでは、図１４に示すように、被洗浄物３（食器）を洗う洗浄工程、被洗浄物３（食器）をすすぐすすぎ工程および加熱すすぎ工程、被洗浄物３（食器）を乾燥させる乾燥工程を経て被洗浄物３（食器）が洗浄され、乾燥されるが、被洗浄物３（食器）を乾燥させる乾燥工程の途中で、使用者が食器洗い乾燥機１を一時停止して食器洗い乾燥機１の蓋１４を開いた後、再び蓋１４を閉じて食器洗い乾燥機１の運転を再開した場合、制御手段１７は、図１５に示すように、標準コースの運転プログラムに従って、一時停止される前の続きから乾燥工程を再開する。そのため、洗浄槽２内の状態に関係なく、所定の運転プログラムを実行するだけであり（例えば、Ｔ１時間行われる乾燥工程中に、使用者がＴａ時間だけ蓋１４を開いた後、蓋１４を閉じて乾燥工程の続きを実施した場合、制御手段１７は、蓋１４を閉じた後の乾燥工程においても、加熱手段５への通電時間ｔ１や非通電時間ｔ２を変更することなく、また、乾燥工程時間Ｔ２もＴ２＝Ｔ１＋Ｔａと蓋１４を開いた場合の時間を加えるだけである等）、洗浄槽２内の状態に合わせた効率的な乾燥を行うことができず、食器洗い乾燥機１の使用エネルギーを低減することができないという課題を有している。
【００１８】
本発明は上記従来の課題を解決するもので、食器洗い乾燥機の使用エネルギーを低減することを目的としている。
【課題を解決するための手段】
【００１９】
前記従来の課題を解決するため、本発明の食器洗い乾燥機は、少なくとも被洗浄物の洗浄、加熱すすぎおよび乾燥を行うものであって、開口部を有する洗浄槽と、洗浄槽内に収納される被洗浄物を洗浄する洗浄手段と、被洗浄物に供給される洗浄水および空気を加熱する加熱手段と、被洗浄物に送風する送風手段と、開口部を閉じることにより洗浄槽を実質的に密閉状態にする蓋と、蓋の開閉を直接的若しくは間接的に検知する蓋開閉検知手段と、食器洗い乾燥機の運転を制御する制御手段とを備え、制御手段は、蓋開閉検知手段の検知状況に連動させて、被洗浄物を乾燥させる乾燥工程の制御を行うものである。
【００２０】
これにより、乾燥工程で使用者が何らかの理由で蓋を開くと、洗浄槽の開口部から高湿
の空気が洗浄槽外へ出て行き、低湿の食器洗浄機外の空気が開口部を介して洗浄槽内に入ってくるので、使用者が蓋を開いて閉じた後は、洗浄槽内の空気は被洗浄物や洗浄槽の内壁に付着した水滴が蓋を開かない場合の状態よりも乾燥しやすい低湿の状態になる。
【００２１】
それゆえ、蓋を閉じた後の乾燥工程の加熱手段に通電する時間を蓋を開かない場合の乾燥工程での加熱手段に通電する時間よりも短縮し、蓋を閉じた後の乾燥工程の加熱手段を非通電にする時間を蓋を開かない場合の乾燥工程での加熱手段に非通電にする時間よりも長くしても所定の乾燥性能を得ることができる。したがって、乾燥工程における加熱手段の通電量を、加熱手段への通電時間を短くした分だけ少なくすることができ、食器洗い乾燥機の使用エネルギーを低減することができる。
【００２２】
また、洗浄水や空気の漏れを防止するために蓋と洗浄槽との接触部に設けられたシール材周辺には、乾燥工程開始前には多くの水滴が付着するとともに、シール材が蓋および洗浄槽と密着しているためシール材周辺には空気が流れないので、乾燥工程において洗浄槽内の空気は、蓋や洗浄槽に密着しているシール材周辺にはあまり供給されずに排気口から食器洗い乾燥機外へ排出されてしまい、シール材周辺の水滴が所定の乾燥工程では乾燥しなかったり乾燥に多くの時間を要する等の課題があるのを、乾燥工程で使用者が蓋を開くことでシール材周辺に低湿の食器洗い乾燥機外の空気を供給することができ、シール材周辺の水滴の蒸発を向上およびシール材周辺の乾燥性能を向上させることができる。
【００２３】
以上より、使用者が蓋を開いて閉じた後の乾燥工程での加熱手段に通電する時間を、蓋を開かない場合の乾燥工程での加熱手段に通電する時間よりも短縮しても、蓋と洗浄槽のシール部分も含めて所定の乾燥性能を得ることができるので、乾燥工程における加熱手段の通電量を少なくすることができ、食器洗い乾燥機の使用エネルギーを低減することができる。
【発明の効果】
【００２４】
本発明の食器洗い乾燥機は、請求項１の構成にしたから、蓋を閉じた後の乾燥工程の加熱手段に通電する時間を蓋を開かない場合の乾燥工程での加熱手段に通電する時間よりも短縮し、蓋を閉じた後の乾燥工程の加熱手段を非通電にする時間を蓋を開かない場合の乾燥工程での加熱手段に非通電にする時間よりも長くしても所定の乾燥性能を得ることができるので、乾燥工程における加熱手段の通電量を、加熱手段への通電時間を短くした分だけ少なくすることができ、食器洗い乾燥機の使用エネルギーを低減することができる。
【００２５】
また、洗浄水や空気の漏れを防止するために蓋と洗浄槽との接触部に設けられたシール材周辺には、乾燥工程開始前には多くの水滴が付着するが、乾燥工程で使用者が蓋を開くことでシール材周辺に低湿の食器洗い乾燥機外の空気を供給することができ、シール材周辺の水滴の蒸発を向上およびシール材周辺の乾燥性能を向上させることができる。
【００２６】
以上より、使用者が蓋を開いて閉じた後の乾燥工程での加熱手段に通電する時間を、蓋を開かない場合の乾燥工程での加熱手段に通電する時間よりも短縮しても、蓋と洗浄槽のシール部分も含めて所定の乾燥性能を得ることができるので、乾燥工程における加熱手段の通電量を少なくすることができ、食器洗い乾燥機の使用エネルギーを低減することができる。
【図面の簡単な説明】
【００２７】
【図１】本発明の第１の実施例の食器洗い乾燥機の前後方向の縦断面図
【図２】同食器洗い乾燥機の蓋を開いた場合の前後方向の縦断面図
【図３】（ａ）同食器洗い乾燥機の乾燥工程で蓋を開かない場合の加熱手段の通電状態を示す図（ｂ）同食器洗い乾燥機の乾燥工程で蓋を開いて閉じた場合の加熱手段の通電状態を示す図
【図４】（ａ）同食器洗い乾燥機の蓋と洗浄槽との接触する部分の拡大図（ｂ）同食器洗い乾燥機の蓋を開いた場合の蓋と洗浄槽との接触する部分の拡大図
【図５】同食器洗い乾燥機の別の例の構成を示す図
【図６】（ａ）同食器洗い乾燥機の乾燥工程で蓋を開かない場合の加熱手段の通電状態を示す図（ｂ）同食器洗い乾燥機の乾燥工程で蓋を開いて閉じた場合の、加熱手段の通電時間を変更しない場合の加熱手段の通電状態を示す図
【図７】（ａ）同食器洗い乾燥機の乾燥工程で蓋を開かない場合の洗浄槽内の相対湿度の変化を示す図（ｂ）同食器洗い乾燥機の乾燥工程初期に蓋を開いて閉じた場合の、加熱手段の通電状態を示す図（ｃ）同食器洗い乾燥機の乾燥工程後期に蓋を開いて閉じた場合の、加熱手段の通電状態を示す図
【図８】（ａ）同食器洗い乾燥機の乾燥工程において、蓋が開いている時間が短い場合の加熱手段の通電状態を示す図（ｂ）同食器洗い乾燥機の乾燥工程において、蓋が開いている時間が長い場合の加熱手段の通電状態を示す図
【図９】同食器洗い乾燥機の各工程の洗浄槽内の温度変化を示す図および乾燥工程において、蓋を開かない場合の送風手段の通電状態を示す図
【図１０】同食器洗い乾燥機の乾燥工程初期において使用者が蓋を開いた状態を示す図
【図１１】（ａ）同食器洗い乾燥機の乾燥工程で、乾燥工程初期に蓋を開いて閉じた場合の送風手段の通電時間を変更した場合の送風手段の通電状態を示す図（ｂ）同食器洗い乾燥機の乾燥工程で、乾燥工程初期に蓋を開いて閉じた場合の送風手段の非通電時間を変更した場合の送風手段の通電状態を示す図
【図１２】同食器洗い乾燥機の蓋開閉量検知手段が、蓋が所定量以上開いたことを検知した図
【図１３】従来の食器洗い乾燥機の前後方向の縦断面図
【図１４】同食器洗い乾燥機の標準コースにおける加熱手段、送風手段への通電状態および洗浄槽内の温度変化を示す図
【図１５】同食器洗い乾燥機の標準コースの乾燥工程の途中で蓋が開いて閉じた場合の加熱手段、送風手段への通電状態および洗浄槽内の温度変化を示す図
【発明を実施するための形態】
【００２８】
第１の発明は、少なくとも被洗浄物の洗浄、加熱すすぎおよび乾燥を行うものであって、開口部を有する洗浄槽と、洗浄槽内に収納される被洗浄物を洗浄する洗浄手段と、被洗浄物に供給される洗浄水および空気を加熱する加熱手段と、被洗浄物に送風する送風手段と、開口部を閉じることにより洗浄槽を実質的に密閉状態にする蓋と、蓋の開閉を直接的若しくは間接的に検知する蓋開閉検知手段と、食器洗い乾燥機の運転を制御する制御手段とを備え、制御手段は、蓋開閉検知手段の検知状況に連動させて、被洗浄物を乾燥させる乾燥工程の制御を行うものであり、乾燥工程で使用者が何らかの理由で蓋を開くと、洗浄槽の開口部から高湿の空気が洗浄槽外へ出て行き、低湿の食器洗浄機外の空気が開口部を介して洗浄槽内に入ってくるので、使用者が蓋を開いて閉じた後は、洗浄槽内の空気は被洗浄物や洗浄槽の内壁に付着した水滴が蓋を開かない場合の状態よりも乾燥しやすい低湿の状態になる。
【００２９】
それゆえ、蓋を閉じた後の乾燥工程の加熱手段に通電する時間を蓋を開かない場合の乾燥工程での加熱手段に通電する時間よりも短縮し、蓋を閉じた後の乾燥工程の加熱手段を非通電にする時間を蓋を開かない場合の乾燥工程での加熱手段に非通電にする時間よりも長くしても所定の乾燥性能を得ることができる。したがって、乾燥工程における加熱手段の通電量を、加熱手段への通電時間を短くした分だけ少なくすることができ、食器洗い乾燥機の使用エネルギーを低減することができる。
【００３０】
また、洗浄水や空気の漏れを防止するために蓋と洗浄槽との接触部に設けられたシール材周辺には、乾燥工程開始前には多くの水滴が付着するとともに、シール材が蓋および洗浄槽と密着しているためシール材周辺には空気が流れないので、乾燥工程において洗浄槽内の空気は、蓋や洗浄槽に密着しているシール材周辺にはあまり供給されずに排気口から食器洗い乾燥機外へ排出されてしまい、シール材周辺の水滴が所定の乾燥工程では乾燥しなかったり乾燥に多くの時間を要する等の課題があるのを、乾燥工程で使用者が蓋を開くことでシール材周辺に低湿の食器洗い乾燥機外の空気を供給することができ、シール材周辺の水滴の蒸発を向上およびシール材周辺の乾燥性能を向上させることができる。
【００３１】
以上より、使用者が蓋を開いて閉じた後の乾燥工程での加熱手段に通電する時間を、蓋を開かない場合の乾燥工程での加熱手段に通電する時間よりも短縮しても、蓋と洗浄槽のシール部分も含めて所定の乾燥性能を得ることができるので、乾燥工程における加熱手段の通電量を少なくすることができ、食器洗い乾燥機の使用エネルギーを低減することができる。
【００３２】
第２の発明は、特に、第１の発明の制御手段は、乾燥工程において蓋開閉検知手段が蓋の開閉を検知すると、蓋を閉じた後の乾燥工程の時間を通常の乾燥工程の時間より短縮させるものであり、第１の発明と同様の効果があるので、第１の発明で行った加熱手段への通電量を低減するのではなく、加熱手段への通電量を低減せずに、第１の発明で加熱手段への通電量を低減した分を乾燥工程の時間短縮に活用することができる。それゆえ、食器洗い乾燥機の運転時間を短縮することができる。
【００３３】
第３の発明は、特に、第２の発明の制御手段は、乾燥工程において蓋開閉検知手段が蓋の開閉を検知したタイミングにより、加熱手段への通電時間または乾燥工程の短縮時間を変更するものであり、乾燥工程初期で使用者が蓋を開くと、多くの高湿の空気が洗浄槽内から食器洗い乾燥機外へ出て行き、低温の食器洗い乾燥機外の空気が入ってくることになり、乾燥工程後期で使用者が蓋を開くと、食器洗い乾燥機外の空気と略同等の相対湿度の空気が洗浄槽内から出て行って、洗浄槽内の空気と略同等の相対湿度の空気が食器洗い乾燥機外から洗浄槽内に入ってくるので、被洗浄物の乾燥には、乾燥工程初期側で蓋を開く方が効率的であるので、使用者が蓋を開くタイミングに合わせて、加熱手段への通電時間を制御手段が変更することにより、すなわち、乾燥工程の初期側で蓋開閉検知手段が蓋の開閉を検知する場合は、加熱手段への通電時間を多く短縮する一方、乾燥工程の後期側で蓋開閉検知手段が蓋の開閉を検知する場合は、加熱手段への通電時間を少しだけ短縮することで、洗浄槽内の空気の状態に合わせて加熱手段への通電時間を最適化することができる。それゆえ、食器洗い乾燥機の使用状況に合わせて、使用エネルギーを少なくすることができる。
【００３４】
同様に、乾燥工程中に蓋を開いて閉じた後の加熱手段への通電時間を、蓋を開かない場合の加熱手段への通電時間と同じにして、乾燥工程の初期側で蓋開閉検知手段が蓋の開閉を検知する場合は、乾燥工程の時間をより多く短縮し、乾燥工程の後期側で蓋開閉検知手段が蓋の開閉を検知する場合は、乾燥工程の時間を少しだけ短縮することで、洗浄槽内の空気の状態に合わせて乾燥工程時間を最適化することができる。それゆえ、食器洗い乾燥機の使用状況に合わせて乾燥工程時間、すなわち運転時間を短縮することができる。
【００３５】
第４の発明は、特に、第１〜３のいずれか１項の発明の制御手段は、乾燥工程において蓋開閉検知手段が蓋の開放を検知している時間に連動して、乾燥工程を制御するものであり、蓋が開くと洗浄槽内の高湿の空気が出て行き、食器洗い乾燥機外の低湿の空気が洗浄槽内に入ってくることになるので、蓋が開いている時間が長くなるほど、より多くの洗浄槽内の高湿の空気が出て行き、より多くの食器洗い乾燥機外の低湿の空気が洗浄槽内に入ってくることになり、被洗浄物や洗浄槽の内壁に付着している水滴がより蒸発しやすい環
境を提供することができる。同時に、蓋が開いている時間が長いとその分だけシール材近傍の水滴が自然蒸発することになるので、シール材近傍の乾燥性能を向上させることができる。
【００３６】
したがって、乾燥工程において、蓋開閉検知手段が蓋の開放を検知している時間に連動して乾燥工程を制御する、すなわち、蓋開閉検知手段が蓋の開放を検知している時間が長いほど、蓋が閉じた後の加熱手段への通電時間をより短縮することにより、洗浄槽内の空気の状態に合わせて加熱手段への通電時間を最適化することができる。それゆえ、食器洗い乾燥機の使用状況に合わせて、食器洗い乾燥機の使用エネルギーを低減することができる。
【００３７】
同様に、乾燥工程中に蓋を開いて閉じた後の加熱手段への通電時間を、蓋を開かない場合の加熱手段への通電時間と同じにして、蓋開閉検知手段が蓋の開放を検知している時間が長いほど、蓋を閉じた後の乾燥工程時間をより短縮することにより、洗浄槽内の空気の状態に合わせて乾燥工程の時間を最適化することができる。それゆえ、食器洗い乾燥機の使用状況に合わせて食器洗い乾燥機の運転時間を短縮することができる。
【００３８】
第５の発明は、特に、第４の発明の制御手段は、蓋開閉検知手段が、乾燥工程において蓋が所定時間以上開いていることを検知すると、蓋が閉じられた後の乾燥工程では加熱手段に通電させないものであり、第４の発明の時間以上に蓋が開いているので、蓋１４が閉じた後の乾燥工程では加熱手段５を非通電にしても所定の乾燥性能を得ることができ、加熱手段５への通電量を低減し、食器洗い乾燥機１の使用エネルギーを低減することができる。
【００３９】
第６の発明は、特に、第１〜５のいずれか１項の発明の制御手段は、乾燥工程において蓋開閉検知手段が蓋の開閉を検知した後、通常の乾燥工程の時間より長くし、かつ、加熱手段に通電させないものであり、乾燥工程において使用者が蓋を開いて閉じることで、洗浄槽内の高湿の空気は食器洗い乾燥機外へ出て行き、低湿の食器洗い乾燥機外の空気が洗浄槽内に入ってくること、蓋と洗浄槽のシール部分にも、低湿の食器洗い乾燥機外の空気が供給されること等から、第１の発明と同様の効果があるので、乾燥工程時間を延長して加熱手段を非通電にし、送風手段１２のみを動作させて食器洗い乾燥機１外の空気を洗浄槽２内に送風して被洗浄物を乾燥させるようにして、加熱手段への通電量をさらに削減することができる。
【００４０】
第７の発明は、特に、第１〜６のいずれか１項の発明の乾燥工程開始から所定時間が経過するまで送風手段が断続駆動する断続駆動工程が設けられ、断続駆動工程中に蓋開閉検知手段が蓋の開閉を検知すると、蓋を閉じた後の断続駆動工程において送風手段が駆動する時間を長くする、若しくは、送風手段が駆動しない時間を短くするものであり、断続駆動工程中に使用者が蓋を開くと、高温高湿の空気が一挙に洗浄槽外へ出て行き、食器洗い乾燥機外の低湿の空気が洗浄槽内に入ってくるので、洗浄槽内は被洗浄物や洗浄槽の内壁等に付着した水滴が乾燥しやすい低湿の空気の状態になる。
【００４１】
それゆえ、この状態で使用者が蓋を閉じると、洗浄槽内は高温高湿の空気が減少し、低湿の空気が増加した状態になるので、蓋を閉じた後の乾燥工程での送風手段の断続駆動工程において、送風手段の通電時間を長くしたり、非通電時間を短くしたりして、蓋を開かない場合の乾燥工程の場合よりも、洗浄槽内に食器洗い乾燥機外の空気をより多く送り込むようにしても、排気口からは高温高湿の空気が排出される量が減少しているので、食器洗い乾燥機の対面にある食器棚等を傷めるのを減少させることができる。
【００４２】
したがって、断続駆動工程において、送風手段の駆動時間をより多くして食器洗い乾燥
機外の低湿の空気をより多く洗浄槽内に送り込むことができ、より多くの低湿の空気を送り込んだ分だけ乾燥性能を向上させることができるので、加熱手段への通電量を減少させることができ、食器洗い乾燥機の使用エネルギーを低減することができる。
【００４３】
第８の発明は、特に、第１〜６のいずれか１項の発明の乾燥工程開始から所定時間が経過するまで送風手段が断続駆動する断続駆動工程が設けられ、断続駆動工程中に蓋開閉検知手段が蓋の開閉を検知すると、蓋が閉じた後の乾燥工程では送風手段を連続通電するものであり、蓋を閉じた後の送風手段を連続通電することで洗浄槽内に送風する空気の量を第７の発明よりも多くすることができるので、第７の発明以上の効果を得ることができ、加熱手段への通電量をより減少させて食器洗い乾燥機の使用エネルギーをより低減することができる。
【００４４】
第９の発明は、特に、第１〜８のいずれか１項の発明の蓋が所定量以上開いたことを検知する蓋開閉量検知手段を設けたものであり、蓋が所定量以上開かれることを検知することができるので、蓋が少ししか開かれない場合よりも、より多くの洗浄槽内の高湿の空気が出て行き、より多くの食器洗い乾燥機外の低湿の空気が洗浄槽内に入ってくることを制御手段が判断することができ、洗浄槽内が被洗浄物や洗浄槽の内壁に付着している水滴がより蒸発しやすい環境になっていることを判断することができる。それゆえ、蓋を閉じた後の加熱手段への通電量を減少させることができ、食器洗い乾燥機の使用エネルギーを低減することができる。
【００４５】
第１０の発明は、特に、第９の発明の少なくとも２回蓋が所定量以上開いたことを蓋開閉量検知手段が検知すると、２回目の蓋が閉じた後の乾燥工程は、加熱手段に通電させないものであり、少なくとも２回蓋が所定量以上開かれ、洗浄槽内の高湿の空気と食器洗い乾燥機外の低湿の空気の入れ替えが少なくとも２回行われたと制御手段が判断することができ、洗浄槽内が被洗浄物や洗浄槽の内壁に付着している水滴がより一層蒸発しやすい環境になっていると判断することができる。
【００４６】
それゆえ、２回目の蓋が閉じた後の乾燥工程において、加熱手段を非通電にしても所定の乾燥性能を得ることができるので、加熱手段への通電量を低減することができ、食器洗い乾燥機の使用エネルギーを低減することができる。
【実施例】
【００４７】
以下、本発明の第１の実施例について、図面を参照しながら説明する。なお、従来例と同じ構成のものは同一符号を付して説明を省略する。
【００４８】
（実施例１）
図１および図２に示す食器洗い乾燥機１において、被洗浄物３（食器）や被洗浄物３（食器）を配置する食器かご４を出し入れできるように開口部２ａを有する洗浄槽２内には、洗浄水を加熱する加熱手段５（例えばシーズヒータなど）が設けられている。また、洗浄槽２の略下部に配置された洗浄手段６は、洗浄水を加圧するものである。洗浄手段６により加圧された洗浄水は、洗浄槽２内に設けられた洗浄ノズル７の噴射孔８より噴射される。洗浄槽２内の洗浄水は給水弁９から洗浄槽２に給水され、排水手段１０により排水されるものである。
【００４９】
フィルタ１１は洗浄槽２に設けられており、被洗浄物３（食器）を洗浄する洗浄工程および被洗浄物３（食器）をすすぐすすぎ工程で、残菜（被洗浄物３（食器）に汚れとして付着していた食品を残菜という）を捕集する。
【００５０】
送風手段１２は、乾燥工程で動作して、食器洗い乾燥機１外の空気を洗浄槽２内に供給
し、排気口１３より排気することで、洗浄槽２内の被洗浄物３（食器）を乾燥させる。
【００５１】
洗浄槽２の前面には蓋１４が開閉自在に設けられている。そして、図１および図２に示すように、この蓋１４が開いたり閉じたりすることを蓋開閉検知手段１５が検知するものである。
【００５２】
温度検知手段１６は、洗浄槽２内の洗浄水、空気および加熱手段５の温度を検知するものである。
【００５３】
制御手段１７は、給水弁９が洗浄槽２内に洗浄水を供給するのを制御したり、温度検知手段１６の出力に基づいて加熱手段５を制御したりするとともに、洗浄手段６、給水弁９、排水手段１０、送風手段１２等を制御して、洗浄、すすぎ、乾燥の一連の工程を逐次制御するよう構成している。
【００５４】
上記構成において動作を説明すると、利用者が蓋１４を前方に開き、食器かご４に被洗浄物３（食器）を配置し、洗浄槽２に収納して洗剤を入れた後、運転を開始すると、排水手段１０が動作して、前回の運転等で洗浄槽２内に残っている洗浄水（残水と呼ぶ）を食器洗い乾燥機１外へ排出する。
【００５５】
次に、給水弁９が動作して所定量の洗浄水を洗浄槽２に供給する。
【００５６】
所定量の洗浄水が供給されると、洗浄手段６により洗浄水が加圧され、洗剤とともに洗浄ノズル７に設けた噴射孔８から洗浄水が噴射される。こうして洗浄工程が行われる。この洗浄工程では洗浄槽２内に設けた加熱手段５に通電して、洗浄水を洗浄所定温度まで加熱する。
【００５７】
洗浄工程が所定時間行われると、排水手段１０が被洗浄物３（食器）から洗い落とされた汚れを含む洗浄水を食器洗い乾燥機１外へ排出する。そして、新たに給水弁９が洗浄水を供給し、洗浄ノズル７に設けた噴射孔８から再び洗浄水が噴射されて、洗剤や残菜等で汚れた被洗浄物３（食器）をすすぐ工程を実行する。
【００５８】
このすすぎ工程が終わると、洗浄水を再び食器洗い乾燥機１外へ排出する。このすすぎ工程は連続して数回繰り返される。そして、最後に行われるすすぎ工程では、加熱手段５により洗浄水をすすぎ所定温度（例えば６０℃）まで加熱して被洗浄物３（食器）をすすぐ加熱すすぎ工程を行う。なお、洗浄およびすすぎ工程では、残菜は洗浄槽２に設けたフィルタ１１内に捕集される。
【００５９】
所定回数のすすぎ工程および加熱すすぎ工程が終了すると乾燥工程が開始する。この工程では、送風手段１２が動作して食器洗い乾燥機１外の空気が洗浄槽２内へ送り込まれる。送り込まれた空気は加熱手段５により加熱された後、被洗浄物３（食器）を乾燥させて排気口１３より食器洗い乾燥機１外へ排出される。乾燥工程終了後、運転を終了する。
【００６０】
このように構成された本実施例によれば、洗浄工程およびすすぎ工程、加熱すすぎ工程を経た後に、図３（ａ）に示すように、蓋１４が開かれずにＴ１時間行われる乾燥工程では、最後に行われる加熱すすぎ工程で被洗浄物３（食器）および洗浄槽２はすすぎ所定温度（例えば６０℃）にまで加熱されていて高湿の空気が洗浄槽２内に存在することになるので、食器洗い乾燥機１外の低湿の空気を洗浄槽２内に送り込んで、既に洗浄槽２内に存在する高温高湿の空気を洗浄槽２外へ送り出すとともに、加熱手段５により食器洗い乾燥機１外から送り込まれる空気の温度や洗浄槽２内の空気の温度を高くして洗浄槽２内の空気の相対湿度を下げて被洗浄物３（食器）や洗浄槽２の内壁に付着した水滴を蒸発させて
被洗浄物３（食器）を乾燥させるものであるが、食器洗い乾燥機１外の空気を洗浄槽２内に送り込む時に、低温（例えば５℃）または室温（例えば２０℃）の食器洗い乾燥機１外の空気が洗浄槽２内の高温の空気に混ざることで、洗浄槽２内に存在する高温の空気の温度が低下して相対湿度が高くなってしまって、被洗浄物３（食器）や洗浄槽２の内壁に結露水として付着するということを防止するために、食器洗い乾燥機１外の低湿の空気を加熱手段５により加熱して高温状態にしてから送り込むようにしているので、図３（ａ）に示すように、加熱手段５をｔ１時間通電したりｔ２時間非通電にしたりすることを繰り返して、食器洗い乾燥機１外の空気を加熱手段５が加熱するように制御手段１７は加熱手段５を制御している。しかしながら、図２に示すように、乾燥工程において、使用者が何らかの理由で蓋１４を開くと、洗浄槽２の開口部２ａから高湿の空気が洗浄槽２外へ出て行き、低湿の食器洗浄機１外の空気が開口部２ａを介して洗浄槽２内に入ってくるので、使用者が蓋１４を開いて閉じた後は、洗浄槽２内の空気は被洗浄物３（食器）や洗浄槽２の内壁に付着した水滴が蓋１４を開かない場合の状態よりも乾燥しやすい低湿の状態になる。
【００６１】
それゆえ、図２に示すように、蓋１４の開閉を直接的に検知する蓋開閉検知手段１５を備え、乾燥工程において、使用者が何らかの理由で蓋１４を開いて閉じる（洗浄槽２内は被洗浄物３（食器）や洗浄槽２の内壁に付着した水滴が乾燥しやすい低湿の状態になる）のを蓋開閉検知手段１５が検知すると、図３（ｂ）に示すように、乾燥工程において、加熱手段５を通電したり非通電にしたりする回数を同じにして、蓋１４を閉じた後の乾燥工程の加熱手段５に通電する時間ｔ３を、蓋１４を開かない場合の乾燥工程での加熱手段５に通電する時間ｔ１よりも短縮し、蓋１４を閉じた後の乾燥工程の加熱手段５を非通電にする時間ｔ４を蓋１４を開かない場合の乾燥工程での加熱手段５に非通電にする時間ｔ２よりも長くしても所定の乾燥性能を得ることができる。したがって、乾燥工程における加熱手段５の通電量を、
（加熱手段５の消費電力）Ｘ（ｔ１−ｔ３）
Ｘ（蓋１４を開いて閉じた後の加熱手段５の通電回数）
分だけ少なくすることができ、食器洗い乾燥機１の使用エネルギーを低減することができる。ここで、蓋開閉検知手段１５は、蓋１４が閉じた場合にスイッチが押されることにより、蓋１４の開閉を直接的に検知する。
【００６２】
また、図１および図２に示すように、蓋１４と洗浄槽２との接触部２ｂから洗浄水や空気が漏れないようにするためにゴムパッキン等のシール材１８が接触部２ｂ近傍に備えられているが、シール材１８は水漏れや空気漏れが発生しないように蓋１４や洗浄槽２に押し付けられているので、図４（ａ）に示すように、乾燥工程開始前ではシール材１８周辺には多くの水滴Ｗが付着することになる（図４（ａ）および図４（ｂ）では、縦断面図のため、蓋１４と洗浄槽２の上部にしか水滴Ｗが図示されていないが、シール材１８は、洗浄槽２の開口部２ａの全周に渡って配置されているので、水滴Ｗも開口部２ａの全周に渡って存在するものである）。
【００６３】
さらに、シール材１８が蓋１４および洗浄槽２と密着しているので、図４（ａ）に示すように、洗浄槽２内からシール材１８を介して洗浄槽２外へ空気は流れないことになる。そのため、乾燥工程において洗浄槽２内の空気は、蓋１４や洗浄槽２に密着しているシール材１８周辺にはあまり供給されずに排気口１３から食器洗い乾燥機１外へ排出されてしまうので、シール材１８周辺の水滴Ｗが所定の乾燥工程では乾燥しなかったり、乾燥させるのに多くの時間を要する等の課題がある（シール材１８周辺の水滴Ｗが乾燥しなかったら、乾燥工程終了後、使用者が蓋１４を開いた時に、シール材１８周辺から水滴Ｗが滴下して使用者の手や腕を濡らしてしまったり、乾燥工程で乾燥させた蓋１４の内壁や被洗浄物３（食器）等に再び水滴Ｗが付着してしまう恐れがあるので、シール材１８周辺の水滴Ｗは乾燥させる必要がある）が、乾燥工程で使用者が蓋１４を開くと、図４（ｂ）に示す
ように、シール材１８が蓋１４または洗浄槽２から一旦離れるので、シール材１８周辺に低湿の食器洗い乾燥機１外の空気を供給することが可能となり、シール材１８周辺の水滴Ｗの蒸発を向上させることができ、シール材１８周辺の乾燥性能を向上させることができる。
【００６４】
以上より、使用者が蓋１４を開いて閉じた後の乾燥工程での加熱手段５に通電する時間ｔ３を、蓋１４を開かない場合の乾燥工程での加熱手段５に通電する時間ｔ１よりも短縮しても、蓋１４と洗浄槽２のシール部分も含めて所定の乾燥性能を得ることができるので、乾燥工程における加熱手段５の通電量を少なくすることができ、食器洗い乾燥機１の使用エネルギーを低減することができる。
【００６５】
なお、本実施例では蓋１４を開いて洗浄槽２内の被洗浄物３（食器）および食器かご４を引き出すタイプの食器洗い乾燥機１について述べたが、図５に示すように、洗浄槽２の上方に開口部２ａを有した洗浄槽２を引き出して洗浄槽２の上方から被洗浄物３（食器）を出し入れするタイプの食器洗い乾燥機１でも同様の効果がある。この場合、図５に示すように、蓋開閉検知手段１５を、蓋１４を洗浄槽２の開口部２ａに密着させるリンク機構部１９近傍に配置して、リンク機構部１９の移動に基づいて、蓋１４の開閉を間接的に検知するようにしてもよい（図５に示すような食器洗い乾燥機１は、洗浄槽２が食器洗い乾燥機１の所定の位置に収納されると蓋１４がリンク機構部１９等で自動的に洗浄槽２の開口部２ａを閉じる構成になっているものである）。
【００６６】
また、洗浄槽２内の空気と食器洗い乾燥機１外の空気とが入れ替わる度合いやそれに伴う乾燥性能は、使用者が蓋１４を開いている時間や、乾燥工程での蓋１４を開くタイミング（乾燥工程初期に開くか、中期や後期で開くか等）や、食器洗い乾燥機１の形状等により異なるので、蓋１４を閉じた後の乾燥工程の加熱手段５に通電する時間ｔ３や非通電にする時間ｔ４は、色々な数値が当てはまるものである。一例として、加熱手段５の通電―非通電周期時間を１分間とし、図３（ａ）に示す蓋１４を開かない場合の乾燥工程での加熱手段５に通電する時間ｔ１を１２秒とした場合（非通電時間ｔ２は４８秒）、蓋１４を開いて閉じた後の乾燥工程の加熱手段５に通電する時間ｔ３を１０秒（非通電時間ｔ４は５０秒）にすることで、加熱手段５の１回あたりの通電―非通電周期時間である１分間に対して２秒間加熱手段５への通電時間を削除することができる、等がある（蓋１４を開いて閉じた後の乾燥工程の加熱手段５に通電する時間ｔ３は所定の乾燥性能が得られるようにする通電時間であることは言うまでもない）。
【００６７】
また、図６（ａ）および図６（ｂ）に示すように、使用者が蓋１４を開いて閉じた後の乾燥工程で、加熱手段５に通電―非通電にする時間を、蓋１４を開かない場合の乾燥工程での加熱手段５に通電―非通電にする時間ｔ１、ｔ２と同等にして、乾燥工程時間自体を短縮する（例えば、蓋１４を開いた時間Ｔａも含めた乾燥工程時間Ｔ２を、（蓋１４を開かない場合の乾燥工程時間Ｔ１）＋（蓋１４を開いた時間Ｔａ）よりも短くする等）ようにしても、所定の乾燥性能を得ることができるものである。それゆえ、乾燥工程時間の短縮、すなわち、食器洗い乾燥機１の運転時間の短縮が可能となる。
【００６８】
また、使用者が蓋１４を開いて閉じた後の乾燥工程では、洗浄槽２内の高湿の空気は食器洗い乾燥機１外へ出て行き、低湿の食器洗い乾燥機１外の空気が洗浄槽２内に入ってくること、蓋１４と洗浄槽２のシール部分にも、低湿の食器洗い乾燥機１外の空気が供給されること等から、乾燥工程時間Ｔ１を延長して加熱手段５を非通電にし、送風手段１２のみを動作させて食器洗い乾燥機１外の空気を洗浄槽２内に送風して被洗浄物３（食器）を乾燥させるようにして、加熱手段５への通電量をさらに削減するようにしてもよい。
【００６９】
また、蓋検知手段１５が、蓋１４が開いたことを検知すると、制御手段１７は加熱手段
５や送風手段１２を非通電にすることは言うまでもない。
【００７０】
また、本実施例では、乾燥工程中における加熱手段５の通電―非通電時間の繰り返し回数を、乾燥工程中に蓋１４が開かない場合と蓋１４が開いた場合で同じとして記載したが、蓋１４を開く場合と開かない場合で繰り返し回数が異なるものであってもよい。例えば、蓋１４を開いて閉じた後の加熱手段５への通電時間ｔ３を蓋１４が開かない場合の加熱手段５への通電時間ｔ１と同じにして（ｔ３＝ｔ１）、蓋１４を開いて閉じた後の加熱手段５の非通電時間ｔ４を蓋１４を開かない場合の加熱手段５の非通電時間ｔ２よりも長くして、通電―非通電時間の繰り返し回数も、蓋１４を開いて閉じた場合の方が蓋１４を開かない場合よりも少なくなるようにしてもよい。
【００７１】
また、蓋１４を開いて閉じた後の加熱手段５への通電時間ｔ３や非通電時間ｔ４、通電―非通電時間の繰り返し回数等は所定の乾燥性能が得られるものであることは言うまでもない。
【００７２】
また、本実施例では、乾燥工程中の加熱手段５への通電方法を通電―非通電を繰り返す方法で記載したが、位相制御等を用いて加熱手段５の消費電力を変化させる方法（例えば、８００Ｗのシーズヒータを乾燥工程では位相制御して２００Ｗで使用したり、１００Ｗで使用したりする等）で制御するようにしても良い。この場合は、蓋１４を開いて閉じた後の乾燥工程では加熱手段５の消費電力を蓋１４を開く前よりも少なくするようにすればよい。
【００７３】
それから、図７（ａ）に示すように、乾燥工程において、洗浄槽２内の空気の相対湿度は、乾燥工程初期では略１００％であり、乾燥工程が進行するに連れて低下していき、乾燥工程終了直前では食器洗い乾燥機１外の空気と略同等の相対湿度（例えば６０％）になっている。
【００７４】
それゆえ、乾燥工程初期で使用者が蓋１４を開くと、多くの高湿の空気が洗浄槽２内から食器洗い乾燥機１外へ出て行き、低湿の食器洗い乾燥機１外の空気が入ってくることになり、乾燥工程後期で使用者が蓋１４を開くと、食器洗い乾燥機１外の空気と略同等の相対湿度の空気が洗浄槽２内から出て行って、洗浄槽２内の空気と略同等の相対湿度の空気が食器洗い乾燥機１外から洗浄槽２内に入ってくるので、被洗浄物３（食器）の乾燥には、乾燥工程初期側で蓋１４を開く方が効率的である。
【００７５】
したがって、使用者が蓋１４を開くタイミングに合わせて、加熱手段５への通電時間や乾燥工程の短縮時間を制御手段１７が変更することにより、すなわち、図７（ｂ）に示すように、乾燥工程の初期側で蓋開閉検知手段１５が蓋１４の開閉を検知する場合は、加熱手段５への通電時間をより多く短縮したり（例えば蓋１４が開かない場合の乾燥工程での加熱手段５に通電する時間ｔ１を１２秒とした場合、蓋１４を開いて閉じた後の乾燥工程での加熱手段５に通電する時間ｔ３を９秒にして３秒短縮する等）、または蓋１４を開かない場合も蓋１４を開いた場合も加熱手段５への通電―非通電時間を同じｔ１、ｔ２にして、乾燥工程を短縮する時間を多くしたり（例えば蓋１４を開かない場合の乾燥工程時間を３０分として、乾燥工程の初期側で蓋開閉検知手段１５が蓋１４の開閉を検知する場合は乾燥工程時間を２５分にして５分短縮する等）する一方、図７（ｃ）に示すように、乾燥工程の後期側で蓋開閉検知手段１５が蓋１４の開閉を検知する場合は、加熱手段５への通電時間を少しだけ短縮したり（例えば蓋１４が開かない場合の乾燥工程での加熱手段５に通電する時間ｔ１を１２秒とした場合、蓋１４を開いて閉じた後の乾燥工程での加熱手段５に通電する時間ｔ５を１１秒にして１秒短縮する等）、または蓋１４を開かない場合も蓋１４を開いた場合も加熱手段５への通電―非通電時間を同じｔ１、ｔ２にして、乾燥工程を短縮する時間を少なくしたり（例えば蓋１４を開かない場合の乾燥工程時間を３０
分として、乾燥工程の初期側で蓋開閉検知手段１５が蓋１４の開閉を検知する場合は乾燥工程時間を２９分にして１分短縮する等）することで、洗浄槽２内の空気の状態に合わせて加熱手段５への通電時間や乾燥工程の時間を最適化することができる。それゆえ、食器洗い乾燥機１の使用状況に合わせて、使用エネルギーを少なくすることができたり、食器洗い乾燥機１の乾燥工程時間、すなわち運転時間を短縮したりすることができる。
【００７６】
それから、乾燥工程において、蓋１４が開くと洗浄槽２内の高湿の空気が出て行き、食器洗い乾燥機１外の低湿の空気が洗浄槽２内に入ってくることになるが、図８（ａ）および図８（ｂ）に示すように、蓋１４が開いている時間Ｔａ、Ｔｂが長くなるほど、より多くの洗浄槽２内の高湿の空気が出て行き、より多くの食器洗い乾燥機１外の低湿の空気が洗浄槽２内に入ってくることになり、被洗浄物３（食器）や洗浄槽２の内壁に付着している水滴がより蒸発しやすい環境を提供することができる。同時に、蓋１４が開いている時間が長いとその分だけシール材１８近傍の水滴Ｗが自然蒸発することになるので、シール材１８近傍の乾燥性能を向上させることができる。
【００７７】
それゆえ、乾燥工程において、蓋開閉検知手段１５が蓋１４の開放を検知している時間Ｔａに連動して乾燥工程を制御する、すなわち、蓋開閉検知手段１５が蓋１４の開放を検知している時間Ｔａが長いほど、蓋１４が閉じた後の加熱手段５への通電時間をより短縮したり（例えば、図８（ａ）および図８（ｂ）に示すように、蓋１４が開いている時間がＴａの時、蓋１４を閉じた後の乾燥工程での加熱手段５の通電時間ｔ６よりも、蓋１４が開いている時間がＴｂの時、蓋１４を閉じた後の乾燥工程での加熱手段５の通電時間ｔ７のほうが短い等）、または蓋１４を開かない場合も蓋１４を開いた場合も加熱手段５への通電―非通電時間を同じｔ１、ｔ２にして、蓋１４を閉じた後の乾燥工程時間を、蓋１４を開放している時間が長くなるほど短縮することにより、洗浄槽２内の空気の状態に合わせて加熱手段５への通電時間や乾燥工程の時間を最適化することができる。それゆえ、食器洗い乾燥機１の使用状況に合わせて、食器洗い乾燥機１の使用エネルギーを少なくしたり、乾燥工程時間、すなわち運転時間を短縮したりすることができる。
【００７８】
なお、図８（ｂ）に示す所定時間Ｔｂ以上蓋１４が開いた後、蓋１４が閉じて行われる乾燥工程では加熱手段５に通電せず送風手段１２のみを駆動して低湿の食器洗い乾燥機１外の空気を送り込むようにするだけでも所定の乾燥性能を得ることができる。したがって、蓋１４が所定時間Ｔｂ以上開いているのを蓋検知手段１５が検知すると、蓋１４が閉じた後の乾燥工程では加熱手段５を非通電にすることにより、加熱手段５への通電量を低減することができるので、食器洗い乾燥機１の使用エネルギーを少なくすることができる。
【００７９】
それから、最後に行われる加熱すすぎ工程で、図９に示すように、洗浄水はすすぎ所定温度Ｔｒ（例えば６０℃）まで加熱された後、乾燥工程に移行するので、図９に示す乾燥工程初期では、洗浄槽２内は高温高湿状態（例えば温度６０℃相対湿度１００％）になっている。そのため、特許文献２に示すように、乾燥工程開始から所定時間Ｔαは送風手段１２を断続駆動して食器洗い乾燥機１外の空気を少しずつ洗浄槽２内に送り込んで洗浄槽２内の高温高湿の空気を少しずつ排出する断続駆動工程Ａを設けている（送風手段１２を連続通電して、洗浄槽２内の高温高湿の空気を一挙に排出するようにすると、高温高湿の空気が排気口１３から略水平方向に向かって排出されるので、食器洗い乾燥機１の対面側にある食器棚（図示しない）等を、排出される高温高湿の空気で傷めてしまったりする可能性がある）が、所定時間Ｔα内に使用者が蓋１４を開くと、図１０に示すように、高温高湿の空気が一挙に洗浄槽２外へ出て行き、食器洗い乾燥機１外の低湿の空気が洗浄槽２内に入ってくるので、洗浄槽２内は被洗浄物３（食器）や洗浄槽２の内壁等に付着した水滴が乾燥しやすい低湿の空気の状態になる。
【００８０】
それゆえ、この状態で使用者が蓋１４を閉じると、洗浄槽２内は高温高湿の空気が減少
し、低湿の空気が増加した状態になるので、蓋１４を閉じた後の乾燥工程での送風手段１２の断続駆動工程Ａにおいて、図１１（ａ）に示すように、送風手段１２の通電時間Ｓ１を長くした通電時間Ｓ３にするか、図１１（ｂ）に示すように、非通電時間Ｓ２を短くした非通電時間Ｓ４にして、蓋１４を開かない場合の乾燥工程の場合よりも、洗浄槽２内に食器洗い乾燥機１外の空気をより多く送り込むようにしても、排気口１３からは高温高湿の空気が排出される量が減少しているので、食器洗い乾燥機１の対面にある食器棚等を傷めるのを減少させることができる。
【００８１】
したがって、断続駆動工程Ａにおいて、送風手段１２の駆動時間Ｓ１をより多くして食器洗い乾燥機１外の低湿の空気をより多く洗浄槽２内に送り込むことができ、より多くの低湿の空気を送り込んだ分だけ乾燥性能を向上させることができるので、加熱手段５への通電量を減少させることができ、食器洗い乾燥機１の使用エネルギーを少なくすることができたり、乾燥工程時間を短縮したりすることができる。
【００８２】
なお、蓋１４が開いて閉じた後の乾燥工程においては、送風手段１２の断続駆動工程Ａを廃止して送風手段１２を連続駆動するようにしてもよい。その場合は加熱手段５への通電量をより減少させて食器洗い乾燥機１の使用エネルギーをより少なくしたり、より乾燥時間を短縮したりすることができる。
【００８３】
また、本実施例では、乾燥工程中における送風手段１２の通電―非通電時間の繰り返し回数を、乾燥工程中に蓋１４が開かない場合と蓋１４が開いた場合で同じとして記載したが、蓋１４を開く場合と開かない場合で繰り返し回数が異なるものであってもよい。
【００８４】
それから、図１２に示すように、蓋１４が所定量α（例えば９０°）以上開いたことを検知する蓋開閉量検知手段２０を設けることにより、蓋１４が所定量α以上開かれることを検知することができるので、蓋１４が少ししか開かれない場合よりも、より多くの洗浄槽２内の高湿の空気が出て行き、より多くの食器洗い乾燥機１外の低湿の空気が洗浄槽２内に入ってくることを制御手段１７が判断することができ、洗浄槽２内が被洗浄物３（食器）や洗浄槽２の内壁に付着している水滴がより蒸発しやすい環境になっていることを判断することができる。それゆえ、蓋１４を閉じた後の加熱手段５への通電量を減少させることができ、食器洗い乾燥機１の使用エネルギーを少なくすることができたり、乾燥工程時間を短縮したりすることができる。
【００８５】
それから、蓋１４の開閉を蓋開閉量検知手段２０が少なくとも２回検知すると、少なくとも２回蓋１４が所定量α以上開かれ、洗浄槽２内の高湿の空気と食器洗い乾燥機１外の低湿の空気の入れ替えが少なくとも２回行われたと制御手段１７が判断することができ、洗浄槽２内が被洗浄物３（食器）や洗浄槽２の内壁に付着している水滴がより一層蒸発しやすい環境になっていると判断することができる。
【００８６】
それゆえ、２回目の蓋１４が閉じた後の乾燥工程において、加熱手段５を非通電にしても所定の乾燥性能を得ることができるので、加熱手段５への通電量を低減することができ、食器洗い乾燥機１の使用エネルギーを少なくすることができる。
【００８７】
なお、蓋１４の開閉を蓋開閉量検知手段２０が３回以上検知した後、加熱手段５を非通電しても同様の効果が得られるものである。
【産業上の利用可能性】
【００８８】
以上のように、本発明にかかる食器洗い乾燥機は、乾燥工程において蓋を開いて閉じた後の加熱手段への通電量を減少させるので、食器洗い乾燥機の省エネ性を向上させることができるので、家庭用の食器洗い乾燥機だけでなく、業務用の食器洗い乾燥機の用途にも
適用できる。
【符号の説明】
【００８９】
１  食器洗い乾燥機
２  洗浄槽
２ａ  開口部
３  被洗浄物
５  加熱手段
６  洗浄手段
１２  送風手段
１４  蓋
１５  蓋開閉検知手段
１７  制御手段
２０  蓋開閉量検知手段
【図１】
2011062219.tif 000003
【図２】
2011062219.tif 000004
【図３】
2011062219.tif 000005
【図４】
2011062219.tif 000006
【図５】
2011062219.tif 000007
【図６】
2011062219.tif 000008
【図７】
2011062219.tif 000009
【図８】
2011062219.tif 000010
【図９】
2011062219.tif 000011
【図１０】
2011062219.tif 000012
【図１１】
2011062219.tif 000013
【図１２】
2011062219.tif 000014
【図１３】
2011062219.tif 000015
【図１４】
2011062219.tif 000016
【図１５】
2011062219.tif 000017